(57)【要約】【課題】  トラッピング現象やバックトラッピング現象を考慮した色変換ＬＵＴを予め用意しておかなくても、所望の重ね刷り結果を得ることができること。【解決手段】  多色原稿を複数の色インクで重ね刷りするために、多色原稿画像の原稿色に対応したＲＧＢ色空間の多値画素値を、印刷に用いる色インクに対応したＣＭＹ色空間の多値画素値に変換する画像処理装置１４０であって、ＲＧＢ色空間の多値画素値とＣＭＹ色空間の多値画素値との対応関係を記憶する色変換ＬＵＴ１３１を参照して、ＲＧＢ色空間の多値画素値を印刷に用いる色インクに対応したＣＭＹ色空間の多値画素値に変換する色空間座標変換部１４１と、色変換ＬＵＴを参照して変換されたＣＭＹ色空間の多値画素値を印刷に用いる色インクとその重ね刷り順序に応じて補正する補正処理部１４２とを備える。【選択図】      図１
2005269332.tif 000002
【特許請求の範囲】
【請求項１】
多色原稿を複数の色インクで重ね刷りする場合に、前記多色原稿画像に対応する色空間の多値画素値を前記色インクに対応する色空間の多値画素値に変換する画像処理装置であって、
前記多色原稿に対応する色空間の多値画素値と前記色インクに対応する色空間の多値画素値との対応関係を記憶する色変換ＬＵＴを参照して、前記多色原稿に対応する色空間の多値画素値を前記色インクに対応する色空間の多値画素値に変換する色空間座標変換部と、
前記色変換ＬＵＴに基づいて変換された前記色インクに対応する色空間の多値画素値もしくは前記色変換ＬＵＴに記憶されている前記色インクに対応する色空間の多値画素値の少なくとも一方を、前記色インクと該色インクの重ね刷り順序に従って補正する補正処理部と
を備えることを特徴とする画像処理装置。
【請求項２】
前記色変換ＬＵＴは、前記色インクを重ね刷りしたときにトラッピング現象とバックトラッピング現象の両方もしくは一方が発生しない場合の、前記多色原稿に対応する色空間の多値画素値と前記色インクに対応する色空間の多値画素値との対応関係を記憶すること
を特徴とする請求項１に記載の画像処理装置。
【請求項３】
前記補正処理部は、前記重ね刷り順序に従って、後刷り色インクに対応する色空間の多値画素値が所定の閾値以上である場合に、前記閾値と前記後刷り色インクに対応する色空間の多値画素値から補正係数を算出し、算出した前記補正係数を用いて先刷り色インクに対応する色空間の多値画素値を補正すること
を特徴とする請求項１または請求項２のいずれかに記載の画像処理装置。
【請求項４】
前記補正処理部は、前記重ね刷り順序に従って、先刷り色インクに対応する色空間の多値画素値と後刷り色インクのトラッピング率とから補正係数を算出し、算出した前記補正係数を用いて、前記後刷り色インクに対応する色空間の多値画素値を補正すること
を特徴とする請求項１ないし請求項３のいずれかに記載の画像処理装置。
【請求項５】
前記補正処理部は、前記重ね刷り順序に従って、後刷り色インクに対応する色空間の多値画素値と先刷り色インクのバックトラッピング率とから補正係数を算出し、算出した前記補正係数を用いて、前記先刷り色インクに対応する色空間の多値画素値を補正すること
を特徴とする請求項１または請求項２のいずれかに記載の画像処理装置。
【請求項６】
多色原稿を複数の色インクで重ね刷りする場合に、前記多色原稿画像に対応する色空間の多値画素値を前記色インクに対応する色空間の多値画素値に変換する画像処理方法であって、
前記多色原稿画像に対応する色空間の多値画素値と前記色インクに対応する色空間の多値画素値との対応関係を記憶する色変換ＬＵＴを参照し、選択された前記多色原稿に対応する色空間の多値画素値の任意の画素値を前記色インクに対応する色空間の多値画素値に変換する段階と、
変換された前記色インクに対応する色空間の多値画素値を、前記色インクと該色インクの重ね刷り順序に従って補正する段階と
を含むことを特徴とする画像処理方法。
【請求項７】
多色原稿を複数の色インクで重ね刷りする場合に、前記多色原稿画像に対応する色空間の多値画素値を前記色インクに対応する色空間の多値画素値に変換する画像処理方法であって、
前記多色原稿に対応する色空間の多値画素値に対する前記色インクに対応する色空間の多値画素値との対応関係を記憶する色変換ＬＵＴにおいて、記憶されている前記色インクに対応する色空間の多値画素値を前記色インクと該色インクの重ね刷り順序に従って補正する段階と、
補正された前記色変換ＬＵＴを参照し、選択された前記多色原稿に対応する色空間の多値画素値の任意の画素値を前記色インクに対応する色空間の多値画素値に変換する段階と
を含むことを特徴とする画像処理方法。
【請求項８】
アプリケーションプログラムで作成された多色原稿を複数の色インクで重ね刷りする印刷装置のプリンタドライバであって、
前記多色原稿に対応する色空間の多値画素値と前記色インクに対応する色空間の多値画素値との対応関係を記憶する色変換ＬＵＴを参照して、前記多色原稿に対応する色空間の多値画素値を前記色インクに対応する色空間の多値画素値に変換する色空間座標変換部と、
前記色変換ＬＵＴに記憶されている前記色インクに対応する色空間の多値画素値もしくは前記色変換ＬＵＴを参照して変換された前記色インクに対応する色空間の多値画素値の少なくとも一方を、前記色インクと該色インクの重ね刷り順序に従って補正する補正処理部と
を備えることを特徴とするプリンタドライバ。
【請求項９】
前記補正処理部は、前記重ね刷り順序に従って、後刷り色インクに対応する色空間の多値画素値が所定の閾値以上である場合に、前記閾値と前記後刷り色インクに対応する色空間の多値画素値から補正係数を算出し、算出した前記補正係数を用いて、先刷り色インクに対応する色空間の多値画素値を補正すること
を特徴とする請求項８に記載のプリンタドライバ。
【請求項１０】
前記補正処理部は、前記重ね刷り順序に従って、先刷り色インクに対応する色空間の多値画素値と後刷り色インクのトラッピング率とから補正係数を算出し、算出した前記補正係数を用いて、前記後刷り色インクに対応する色空間の多値画素値を補正すること
を特徴とする請求項８または請求項９のいずれかに記載のプリンタドライバ。
【請求項１１】
前記補正処理部は、前記重ね刷り順序に従って、後刷り色インクに対応する色空間の多値画素値と先刷り色インクのバックトラッピング率とから補正係数を算出し、算出した前記補正係数を用いて、前記先刷り色インクに対応する色空間の多値画素値を補正すること
を特徴とする請求項８に記載のプリンタドライバ。
【発明の詳細な説明】
【技術分野】
【０００１】
多色原稿を複数の色インクで重ね刷りするために、多色原稿画像データの原稿色（色光）に対応した原稿色空間の多値画素値を、印刷に用いる色インクに対応した色空間の多値画素値に変換する画像処理装置、画像処理方法、及びプリンタドライバに関する。
【背景技術】
【０００２】
一般に、多色原稿を複数の色インクで重ね刷りする際には、多色原稿画像の原稿色（色光）に対応した色空間（例えば、ＲＧＢ色空間）の多値画素値を、印刷に用いる色インクに対応した色空間（例えば、ＣＭＹ色空間）の多値画素値に変換する、所謂「分版」が行われる。
【０００３】
分版処理のアルゴリズムとしては、ノイゲバウアーの方程式に代表される変換式でＲＧＢ色空間をＣＭＹ色空間に変換する方式（例えば、特許文献１参照）と、色変換ルックアップテーブル（以下「色変換ＬＵＴ」と省略する）用いてＲＧＢ色空間をＣＭＹ色空間に変換する方式（例えば、特許文献２参照）とに大別されるが、意図的な色域シフト（好ましい色再現）を行うことが容易な、色変換ＬＵＴによる分版処理アルゴリズムが用いられることが多い。
【特許文献１】特開２００１−２７７４７３号公報
【特許文献２】特開２００１−１８６３６８号公報
【発明の開示】
【発明が解決しようとする課題】
【０００４】
複数の色インクで重ね刷りする場合、即ち先に印刷する色インク（以下「先刷り色インク」と称する）が乾燥しないうちに後から印刷する色インク（以下「後刷り色インク」と称する）を重ね刷りするため、先刷り色インクと後刷り色インクの間でブリーディング現象、トラッピング現象、バックトラッピング現象などの問題が発生するため、所望する印刷結果は得られない。
【０００５】
尚、ブリーディング現象とは先刷り色インクと後刷り色インクとが混ざり合う現象で、トラッピング現象とは先刷り色インク上へ後刷り色インクが転移する現象で、バックトラッピング現象とは後刷り用の画像担持体（本発明に係わる孔版印刷装置でいえば版胴）へ先刷り色インクが吸収される現象である。中でも、トラッピング現象とバックトラッピング現象の印刷結果に及ぼす影響は無視できない。
【０００６】
そこで、トラッピング現象やバックトラッピング現象を考慮した色変換ＬＵＴを用意する必要があったが、トラッピング現象やバックトラッピング現象による影響は、重ね刷りに用いる色インクのやその重ね刷り順序によっても変動するため、それぞれのケースに応じた色変換ＬＵＴを用意しておく必要があった。
【０００７】
そのため、色変換ＬＵＴを作成するために多大なコストや時間を要し、また、色変換ＬＵＴを記憶しておく記憶装置の記憶容量も肥大化していた。
【０００８】
本発明は、以上のような状況を鑑みてなされたものであり、多色原稿を複数の色インクで重ね刷りするために、トラッピング現象やバックトラッピング現象を考慮した色変換ＬＵＴを予め用意しておかなくても、所望の重ね刷り結果を得ることができる画像処理装置、画像処理方法、及びプリンタドライバを提供することを目的とする。
【課題を解決するための手段】
【０００９】
本発明に係る画像処理装置の特徴は、多色原稿を複数の色インクで重ね刷りする場合に、前記多色原稿画像に対応する色空間の多値画素値を前記色インクに対応する色空間の多値画素値に変換する画像処理装置であって、前記多色原稿に対応する色空間の多値画素値と前記色インクに対応する色空間の多値画素値との対応関係を記憶する色変換ＬＵＴを参照して、前記多色原稿に対応する色空間の多値画素値を前記色インクに対応する色空間の多値画素値に変換する色空間座標変換部と、前記色変換ＬＵＴに基づいて変換された前記色インクに対応する色空間の多値画素値もしくは前記色変換ＬＵＴに記憶されている前記色インクに対応する色空間の多値画素値の少なくとも一方を、前記色インクと該色インクの重ね刷り順序に従って補正する補正処理部とを備えることにある。
【００１０】
また、本発明に係る画像処理方法の特徴は、多色原稿を複数の色インクで重ね刷りする場合に、前記多色原稿画像に対応する色空間の多値画素値を前記色インクに対応する色空間の多値画素値に変換する画像処理方法であって、前記多色原稿画像に対応する色空間の多値画素値と前記色インクに対応する色空間の多値画素値との対応関係を記憶する色変換ＬＵＴを参照し、選択された前記多色原稿に対応する色空間の多値画素値の任意の画素値を前記色インクに対応する色空間の多値画素値に変換する段階と、変換された前記色インクに対応する色空間の多値画素値を、前記色インクと該色インクの重ね刷り順序に従って補正する段階とを含むことにある。もしくは、本発明に係る画像処理方法の特徴は、多色原稿を複数の色インクで重ね刷りする場合に、前記多色原稿画像に対応する色空間の多値画素値を前記色インクに対応する色空間の多値画素値に変換する画像処理方法であって、前記多色原稿に対応する色空間の多値画素値に対する前記色インクに対応する色空間の多値画素値との対応関係を記憶する色変換ＬＵＴにおいて、記憶されている前記色インクに対応する色空間の多値画素値を前記色インクと該色インクの重ね刷り順序に従って補正する段階と、補正された前記色変換ＬＵＴを参照し、選択された前記多色原稿に対応する色空間の多値画素値の任意の画素値を前記色インクに対応する色空間の多値画素値に変換する段階とを含むことにある。
【００１１】
また、本発明に係るプリンタドライバの特徴は、アプリケーションプログラムで作成された多色原稿を複数の色インクで重ね刷りする印刷装置のプリンタドライバであって、前記多色原稿に対応する色空間の多値画素値と前記色インクに対応する色空間の多値画素値との対応関係を記憶する色変換ＬＵＴを参照して、前記多色原稿に対応する色空間の多値画素値を前記色インクに対応する色空間の多値画素値に変換する色空間座標変換部と、前記色変換ＬＵＴに記憶されている前記色インクに対応する色空間の多値画素値もしくは前記色変換ＬＵＴを参照して変換された前記色インクに対応する色空間の多値画素値の少なくとも一方を、前記色インクと該色インクの重ね刷り順序に従って補正する補正処理部とを備えることにある。
【００１２】
すなわち、色変換ＬＵＴを参照して、色変換された色インクに対応する色空間の多値画素値もしくは色変換ＬＵＴに記憶されている色インクに対応する色空間の多値画素値を、印刷に用いる色インクとその重ね刷り順序に応じて補正するので、トラッピング現象とバックトラッピング現象を考慮した色変換ＬＵＴを予め用意しておかなくても、良好な重ね刷り結果を得ることができる。
【００１３】
また、前記補正処理部は、重ね刷り順序に従って、後刷り色インクに対応する色空間の多値画素値が所定の閾値以上である場合に、閾値と後刷り色インクに対応する色空間の多値画素値から補正係数を算出し、算出した前記補正係数を用いて、先刷り色インクに対応する色空間の多値画素値を補正することで、トラッピング現象による後刷り色インクの印刷濃度低下を防止することができる。
【００１４】
あるいは、前記補正処理部は、重ね刷り順序に従って、先刷り色インクに対応する色空間の多値画素値と後刷り色インクのトラッピング率とから補正係数を算出し、算出した補正係数を用いて、後刷り色インクに対応する色空間の多値画素値を補正することで、トラッピング現象による後刷り色インクの印刷濃度低下を防止することができる。
【００１５】
さらに、前記補正処理部は、重ね刷り順序に従って、後刷り色インクに対応する色空間の多値画素値と先刷り色インクのバックトラッピング率とから補正係数を算出し、算出した補正係数を用いて、先刷りの色インクに対応する色空間の多値画素値を補正することで、バックトラッピング現象による先刷り色インクの印刷濃度低下を防止することができる。
【発明の効果】
【００１６】
本発明によれば、トラッピング現象やバックトラッピング現象を考慮した色変換ＬＵＴを用意しておかなくても、所望の重ね刷り結果を得ることができる画像処理装置、画像処理方法、及びプリンタドライバを提供することができる。
【発明を実施するための最良の形態】
【００１７】
以下、図１から図１６を参照して、本発明の実施の形態について詳しく説明する。なお、各図面を通じて同一もしくは同等の部位や構成要素には、同一もしくは同等の参照符号を付し、その説明を省略もしくは簡略化する。
【００１８】
［実施例１］
図１は、孔版印刷装置１００と原稿作成装置２００による印刷システムを例示している。
【００１９】
孔版印刷装置１００は、原稿読み取り部１０１、製版部１０２、印刷部１０３、制御部１０４、外部インタフェース部１０５、データ部１３０、画像処理装置１４０などを備え、色インクの異なる複数の版胴（図１に示した例では、版胴１及び版胴２）を同時に装着できる、多色印刷装置である。
【００２０】
制御部１０４は、いずれも図示しない処理装置（ＣＰＵ）、ＲＡＭ、ＲＯＭ、等で構成され、処理装置はＲＯＭやデータ部１３０及び図示しない記憶手段に記憶されたプログラムやデータをＲＡＭに読み出して処理し、処理結果に基づいて孔版印刷装置１００全体を制御する。
【００２１】
外部インタフェース部１０５は、孔版印刷装置１００がネットワーク等を介して他装置（例えば原稿作成装置２００）と接続するための機能を有する。
【００２２】
原稿読み取り部１０１は、印刷すべき多色原稿の画像を光学的に読み取る。製版部１０２は、原稿読み取り部１０１で読み取られ、画像処理装置１４０で分版処理された単色画像データに基づき、分版された版、即ち印刷に使用する色インク毎に孔版原紙を感熱穿孔して製版する。
【００２３】
印刷部１０３は、２つの版胴を装着できる装着位置１及び装着位置２を有し、装着位置１、装着位置２の順番で各装着位置に装着された版胴に印刷用紙を押圧して、各版胴から供給される色インクが、着版された孔版原紙の穿孔を介して印刷用紙に転写されることで印刷する。尚、装着位置１に装着される版胴を版胴１、装着位置２に装着される版胴を版胴２とする。
【００２４】
データ部１３０は、色変換ＬＵＴ１３１、変数エリア１３２、変数エリア１３３から構成される。色変換ＬＵＴ１３１は、ＲＧＢ色空間の多値画素値とＣＭＹ色空間の多値画素値との対応関係を記憶する。尚、色変換ＬＵＴ１３１は、トラッピング現象やバックトラッピング現象を考慮しないＲＧＢ色空間−ＣＭＹ色空間の対応関係だけを記憶しておくたけで良い。変数エリア１３２は、閾値M、最小補正係数Hmin 等を記憶し、変数エリア１３３は、トラッピング率、バックトラッピング率等を記憶する。尚、色変換ＬＵＴ１３１や変数エリア１３２、変数エリア１３３は、画像処理装置１４０に設けても良い。
【００２５】
画像処理装置１４０は、色空間座標変換部１４１と補正処理部１４２を備え、原稿読み取り部１０１にて読み取られた多色原稿画像データをＲＧＢ色空間の多値画素値に変換し、変換されたＲＧＢ色空間の多値画素値を印刷に用いる色インクに対応したＣＭＹ色空間の多値画素値に変換し、印刷に用いる色インクと、その重ね刷り順序に応じて補正する。あるいは、原稿作成装置２００から送信されてきた多色原稿画像データのＲＧＢ色空間の多値画素値を、印刷に用いる色インクに対応したＣＭＹ色空間の多値画素値に変換し、印刷に用いる色インクと、その重ね刷り順序に応じて補正する。また、画像処理装置１４０は、印刷に用いる色インクと重ね刷り順序情報を、制御部１０４から取得する。
【００２６】
色空間座標変換部１４１は、色変換ＬＵＴ１３１を参照して、多色原稿画像データに対応するＲＧＢ色空間の多値画素値を印刷に用いる色インクに対応したＣＭＹ色空間の多値画素値に変換する。補正処理部１４２は、色変換ＬＵＴ１３１に記憶されているＣＭＹ色空間の多値画素値もしくは色変換ＬＵＴ１３１に基づいて変換されたＣＭＹ色空間の多値画素値を、印刷に用いる色インクとその重ね刷り順序に応じて補正する。
【００２７】
図２は、印刷すべき多色原稿画像を原稿読み取り部１０１で読み取って、読み取った画像データを画像処理装置１４０で分版処理した単色画像データに基づいて刷版、印刷処理する場合の孔版印刷装置１００の処理動作の一例を示すフローチャートである。尚、以下に示す孔版印刷装置１００の処理動作は、操作パネル１０６に表示された製版・印刷画面（図示しない）が選択されると、処理が開始され、制御部１０４が孔版印刷装置１００の各部を制御することにより実現される。
【００２８】
ステップＳ０１において、制御部１０４は、操作パネル１０６からユーザにより入力された印刷に使用する色インク、重ね刷り順序等の条件設定を受け付け、ステップＳ０２の処理において、設定された設定内容を操作パネル１０６に表示する。
【００２９】
ステップＳ０３において、制御部１０４は、原稿読み取り部１０１に原稿がセットされているか否かを判別する。原稿がセットされていると判別した場合は、処理をステップＳ０４に進め、原稿がセットされていないと判別した場合は待機する。
【００３０】
ステップＳ０４において、制御部１０４は、操作パネル１０６から製版開始が指示されたか否かを判別する。制御部１０４は、製版開始が指示されたと判別した場合は処理をステップＳ０５に進め、指示されていないと判別した場合は待機する。
【００３１】
ステップＳ０５において、原稿読み取り部１０１は、原稿セット台にセットされている原稿の画像を読み取り、読み取った画像データを画像処理装置１４０に送る。
【００３２】
ステップＳ０６において、画像処理装置１４０は、後述する分版処理を実行し、分版処理した原稿画像データ（製版画像データ）を製版部１０２に送る。
【００３３】
ステップＳ０７において、制御部１０４は、版胴１、版胴２に着版されている使用済みの孔版原紙を排版する。
【００３４】
ステップＳ０８において、製版部１０２は、画像処理装置１４０から送られた製版画像データに基づいて孔版原紙を製版処理する。
【００３５】
ステップＳ０８において、制御部１０４は、製版された孔版原紙を版胴１、版胴２に着版する。その後、制御部１０４は、印刷処理へ処理を進める。
【００３６】
図３は、図２のステップＳ０６に示した分版処理の詳細な処理手順を例示するフローチャートである。ここでは、多色原稿画像を異なる色の２つのインクC1、インクC2を用いて印刷する場合を例に説明する。
【００３７】
画像処理装置１４０は、ステップＳ４１において、印刷に用いる色インク情報と、重ね刷り順序情報（インクC1→インクC2またはインクC2→インクC1）を制御部１０４から取得する。
【００３８】
ステップＳ４２において、画像処理装置１４０は、原稿読み取り部１０１にて読み取られた多色原稿画像データをＲＧＢ色空間の多値画素値（ビットマップ画像）に展開する。
【００３９】
ステップＳ４３において、色空間座標変換部１４１は、色変換ＬＵＴ１３１に基づいて変換するＲＧＢ多値画像データの任意の画素i(r,g,b)をパラメータとして選択する。
【００４０】
ステップＳ４４において、色空間座標変換部１４１は、選択された任意の画素i(r,g,b)に応じて、色変換ＬＵＴ１３１を参照して、ＣＭＹ色空間の画素i(C1rgb,C2rgb)に変換し、補正処理部１４２に渡す。
【００４１】
ステップＳ４５において、補正処理部１４２は、色変換ＬＵＴ１３１から受け取ったＣＭＹ色空間の画素i(C1rgb,C2rgb)を、印刷に用いる色インクとその重ね刷り順序に応じて補正する。補正処理の詳細は後述する。
【００４２】
ステップＳ４６において、制御部１０４は、ＣＭＹ色空間の補正された画素i’(C1rgb,C2rgb)を制御部１０４のＲＡＭに記憶する。
【００４３】
ステップＳ４７において、画像処理装置１４０は、ＲＧＢ多値画像データの全画素について補正処理が完了したか否かを判別し、全画素について補正処理が完了していれば、この分版処理を終了する。逆に、補正処理未完了の画素が残っていれば、処理をステップＳ４３に戻す。
【００４４】
図４は、図３のステップＳ４５に示した補正処理の、実施例１における詳細な処理手順を例示するフローチャートである。ＲＧＢ多値画像データの任意の画素i(r,g,b)は、色変換ＬＵＴ１３１を参照してＣＭＹ色空間の画素i(C1rgb,C2rgb)に変換されている（但し、0≦C1rgb≦1、0≦C2rgb≦1である）。
【００４５】
ステップＳ５１において、補正処理部１４２は、ステップＳ４１で取得した重ね刷り順序情報を参照し、先刷り色インクがインクC1の場合、ステップＳ５２に処理を進め、先刷り色インクがインクC2の場合、ステップＳ５５に処理を進める。
【００４６】
ステップＳ５２において、補正処理部１４２は、変数エリア１３２に記憶されているインクC2の閾値M2（0≦M2≦1）とインクC2のＣＭＹ色空間の画素値C2rgbとを比較する。比較の結果、画素値C2rgbが閾値M2未満であれば、つまり画素値C2rgbの濃度が所定の濃度未満であれば、トラッピング現象による印刷濃度低下は少ないため、補正を行わずに処理を終了する。
【００４７】
ステップＳ５２の比較の結果、画素値C2rgbが閾値M2以上である場合、ステップＳ５３において、補正処理部１４２は、式１により、後刷り色インクのインクC2（以下「後刷り色インクC2」と略す）の多値画素値C2rgbと閾値M2から、先刷り色インクのインクC1（以下「先刷り色インクC1」と略す）の画素値C1rgbを補正するための補正係数H1を算出する。
【００４８】
但し、H1minは画素値C1rgbを補正する際の所定の最小補正係数（0≦H1min≦1）であり、変数エリア１３２に予め記憶されている。また、補正係数H1は、H1min≦H1≦1である。
【００４９】
H1 = 1-{(1-H1min)×(C2rgb-M2)}/(1-M2)                      (1)
図５（ａ）は、先刷り色インクC1の補正係数H1の例を示しており、後刷り色インクC2の閾値M2を境に、画素値C2rgb＜閾値M2の場合、補正係数H1はH1=1のフラット特性（補正なし）とし、画素値C2rgb≧閾値M2の場合、補正係数H1は最小補正係数H1minを最小値としたリニア特性を有している。このことは、後刷り色インクC2の画素値が所定の値（閾値）未満になると、トラッピング現象が無視できる程度に小さくなるという実験結果に基づくものである。また、後刷り色インクC2の画素値が所定の値（閾値）以上になると、補正係数H1は非線形特性を有するが、実用的には図５に示すように線形特性で近似しても問題ないことが確かめられている。
【００５０】
次に、ステップＳ５４において、補正処理部１４２は、算出した補正係数H1を用いて、式２により先刷り色インクC1の画素値C1rgbを補正し、補正後の画素値C1’rgbを得る。
【００５１】
C1’rgb = C1rgb×H1                                             (2) 
このように、後刷り色インクC2のＣＭＹ色空間の画素値C2rgbが閾値M2以上の場合、後刷り色インクC2の画素値C2rgbと閾値M2から補正係数H1を算出し、算出した補正係数H1を用いて、先刷り色インクC1に対応するＣＭＹ色空間の画素値C1rgbを低く補正することで、トラッピング現象による後刷り色インクC2の印刷濃度低下を防止することができる。
【００５２】
一方、ステップＳ５１の判別の結果、先刷り色インクがインクC2の場合、つまり重ね刷り順序がインクC2→インクC1の場合は、ステップＳ５５に処理を進め、補正処理部１４２は同様の補正処理を実行する。
【００５３】
ステップＳ５５において、補正処理部１４２は、記憶部１３０の変数エリア１３２に予め記憶されているインクC1の閾値M1（0≦M1≦1）とインクC1のＣＭＹ色空間の画素値C1rgbとを比較する。比較の結果、画素値C1rgbが閾値M1未満であれば、つまり画素値C1rgbの印刷濃度が所定の濃度未満であれば、トラッピング現象による印刷濃度低下は少ないため、補正を行わずに処理を終了する。
【００５４】
ステップＳ５５の比較の結果、画素値C1rgbが閾値M1以上である場合、ステップＳ５６において、補正処理部１４２は、式３により、後刷り色インクC1の多値画素値C1rgbと閾値M1から、先刷り色インクC2の画素値C2rgbを補正するための補正係数H2（図５（ｂ）に示す）を算出する。
【００５５】
但し、H2minは画素値C2rgbを補正する際の所定の最小補正係数（0≦H2min≦1）であり、変数エリア１３２に予め記憶されている。また、補正係数H2は、H2min≦H2≦1である。
【００５６】
H2 = 1-{(1-H2min)×(C1rgb-M1)}/(1-M1)                     (3) 
次に、ステップＳ５７において、補正処理部１４２は、算出した補正係数H2を用いて、式４により先刷り色インクC2の画素値C2rgbを補正し、補正後の画素値C2’rgbを得る。
【００５７】
C2’rgb = C2rgb×H2                                            (4) 
即ち、後刷り色インクC1のＣＭＹ色空間の画素値C1rgbが閾値M1以上の場合、後刷り色インクC1の画素値C1rgbと閾値M1から補正係数H2を算出し、算出した補正係数H2を用いて、先刷り色インクC2のＣＭＹ色空間の画素値C2rgbを低く（印刷濃度を低く）補正することで、トラッピング現象による後刷り色インクC1の印刷濃度低下を防止することができる。
【００５８】
［実施例２］
図６は、図３のステップＳ４５に示した補正処理の、実施例２における詳細な処理手順を例示するフローチャートである。
【００５９】
ステップＳ６１において、補正処理部１４２は、ステップＳ４１で取得した重ね刷り順序の情報を参照し、先刷り色インクがインクC1の場合、ステップＳ６２に処理を進め、先刷り色インクがインクC2の場合、ステップＳ６６に処理を進める。
【００６０】
ステップＳ６２において、補正処理部１４２は、先刷り色インクC1のＣＭＹ色空間の多値画素値C1rgbと後刷り色インクC2のトラッピング率a1とから、ＣＭＹ色空間の後刷り色インクC2の画素値C2rgbを補正するための補正係数H3を算出する。但し、トラッピング率a1は、インクC1がベタ印刷されている上にインクC2をベタで重ね刷りした場合のインクC2が印刷される割合（0≦a1≦1）であり、変数エリア１３３に予め記憶されている。尚、トラッピング現象が発生しない場合は、トラッピング率a1=1であり、色変換ＬＵＴ１３１はトラッピング現象が発生しない場合（a1=1）で作成されている。
【００６１】
ここで、ＣＭＹ色空間の任意の画素i(C1rgb,C2rgb)において、先刷り色インクC1の画素値（印刷濃度）はC1rgbであるから、画素値C2rgbを補正するための補正係数H3は、インクC1の印刷濃度C1rgbにインクC2が印刷される割合a1の逆数を乗じたものから、先刷り色インクC1が印刷されない割合（1-C1rgb）を加算する（先刷り色インクC1が印刷されない部分は補正しない）ことで求められ、式５により算出できる（但し、0≦C1rgb≦1、0≦C2rgb≦1である）。
【００６２】
H3 = {C1rgb×(1/a1)}+(1-C1rgb) 
= {C1rgb+a1-a1×C1rgb}/a1
= {1-(1-a1-C1rgb+a1×C1rgb)}/a1
= {1-(1-a1)×(1-C1rgb)}/a1                               (5) 
次に、ステップＳ６３において、補正処理部１４２は、算出した補正係数H3を用いて、式６により後刷り色インクC2の画素値C2rgbを補正した画素値C2’rgbを算出する。
【００６３】
C2’rgb = C2rgb×H3                                             (6) 
尚、式６による算出の結果、補正後の画素値C2’rgbが、C2’rgb≧1の場合（ステップＳ６４）、補正後の画素値C2’rgbを値「1」にクリッピングする（ステップＳ６５）。
【００６４】
このように、先刷り色インクC1のＣＭＹ色空間の画素値C1rgbと、後刷り色インクC2のトラッピング率a1とから補正係数H3を算出し、算出した補正係数H3を用いて、後刷り色インクC2のＣＭＹ色空間の画素値C2rgb、即ち印刷濃度を高く補正することで、トラッピング現象による後刷り色インクC2の印刷濃度低下を防止することができる。
【００６５】
一方、ステップＳ６１の判別の結果、先刷り色インクがインクC2の場合、つまり重ね刷り順序がインクC2→インクC1の場合は、ステップＳ６６に処理を進め、補正処理部１４２は同様の補正処理を実行する。
【００６６】
ステップＳ６６において、補正処理部１４２は、先刷り色インクC2のＣＭＹ色空間の多値画素値C2rgbと後刷り色インクC1のトラッピング率a2とから、ＣＭＹ色空間の画素値C1rgbを補正するための補正係数H4を式７により算出する。但し、トラッピング率a2は、インクC2がベタ印刷されている上にインクC1をベタで重ね刷りした場合のインクC1が印刷される割合（0≦a2≦1）であり、変数エリア１３３に予め記憶されている。
【００６７】
H4 = {C2rgb×(1/a2)}+(1-C2rgb) 
= {C2rgb+a2-a2×C2rgb}/a2
= {1-(1-a2-C2rgb+a2×C2rgb)}/a2
= {1-(1-a2)×(1-C2rgb)}/a2                               (7) 
次に、ステップＳ６７において、補正処理部１４２は、式８により、算出した補正係数H4を用いて後刷り色インクC1の画素値C1rgbを補正した画素値C1’rgbを算出する。
【００６８】
C1’rgb = C1rgb×H4                                             (8) 
尚、式８による算出の結果、補正後の画素値C1’rgbが、C1’rgb≧1の場合（ステップＳ６８）、補正後の画素値C1’rgbを値「1」にクリッピングする（ステップＳ６９）。
【００６９】
すなわち、重ね刷り順序がインクC2→インクC1の場合、トラッピング現象により、後刷り色インクC1（図７（ｂ）における斜線部）の画素値C1rgb（印刷濃度）が低下するため、先刷り色インクC2のＣＭＹ色空間の画素値C2rgbと後刷り色インクC1のトラッピング率a2とから補正係数H4を算出し、算出した補正係数H4を用いて後刷り色インクC1のＣＭＹ色空間の画素値C1rgb、即ち印刷濃度を高く補正する（印刷濃度を増加させる）ことにより、トラッピング現象を考慮した好適な印刷結果を得ることができる。
【００７０】
［実施例３］
図８は、図３のステップＳ４５に示した補正処理の、実施例３における詳細な処理手順を例示するフローチャートである。
【００７１】
まず、ステップＳ７１において、補正処理部１４２は、ステップＳ４１で取得した重ね刷り順序情報を参照し、先刷り色インクがインクC1の場合、ステップＳ７２に処理を進め、先刷り色インクがインクC2の場合、ステップＳ７６に処理を進める。
【００７２】
ステップＳ７２において、補正処理部１４２は、後刷り色インクC2のＣＭＹ色空間の多値画素値C2rgbとバックトラッピング率b1とから、先刷り色インクC1のＣＭＹ色空間の画素値C1rgbを補正するための補正係数H5を、式９により算出する。但し、バックトラッピング率b1は、インクC1がベタ印刷されている上にインクC2をベタで重ね刷りした場合のインクC1が印刷される割合（0≦b1≦1）であり、変数エリア１３３に予め記憶されている。尚、バックトラッピング現象が発生しない場合は、バックトラッピング率b1=1であり、色変換ＬＵＴ１３１はバックトラッピング現象が発生しない場合（b1=1）で作成されている。
【００７３】
H5 = {1-(1-b1)×(1-C2rgb)}/b1                               (9) 
次に、ステップＳ７３において、補正処理部１４２は、算出した補正係数H5を用いて、式１０により先刷り色インクC1の画素値C1rgbを補正した画素値C1’rgbを算出する。
【００７４】
C1’rgb = C1rgb×H5                                            (10) 
尚、式１０による算出の結果、補正後の画素値C1’rgbが、C1’rgb≧1の場合（ステップＳ７４）、補正後の画素値C1’rgbを値「1」にクリッピングする（ステップＳ７５）。
【００７５】
このように、後刷り色インクC2のＣＭＹ色空間の画素値C2rgbと、先刷り色インクC1のバックトラッピング率b1とから補正係数H5を算出し、算出した補正係数H5を用いて、先刷り色インクC1のＣＭＹ色空間の画素値C1rgbを補正することで、バックトラッピング現象による先刷り色インクC1の印刷濃度低下を防止することができる。
【００７６】
一方、ステップＳ７１の判別の結果、先刷り色インクがインクC2の場合、つまり重ね刷り順序がインクC2→インクC1の場合は、ステップＳ７６に処理を進め、補正処理部１４２は同様の補正処理を実行する。
【００７７】
ステップＳ７６において、補正処理部１４２は、後刷り色インクC1のＣＭＹ色空間の多値画素値C1rgbと先刷り色インクC2のバックトラッピング率b2とから、ＣＭＹ色空間の画素値C1rgbを補正するための補正係数H6を式１１により算出する。但し、バックトラッピング率b2は、インクC2がベタ印刷されている上にインクC1をベタで重ね刷りした場合のインクC2が印刷される割合（0≦b2≦1）であり、変数エリア１３３に予め記憶されている。
【００７８】
H6 = {1-(1-b2)×(1-C1rgb)}/b2                              (11) 
次に、ステップＳ７７において、補正処理部１４２は、算出した補正係数H6を用いて、式１２により先刷り色インクC2の画素値C2rgbを補正した画素値C2’rgbを算出する。
【００７９】
C2’rgb = C2rgb×H6                                            (12) 
尚、式１２による算出の結果、補正後の画素値C2’rgbが、C2’rgb≧1の場合（ステップＳ７８）、補正後の画素値C2’rgbを値「1」にクリッピングする（ステップＳ７９）。
【００８０】
すなわち、重ね刷り順序がインクC2→インクC1の場合、バックトラッピング現象により、先刷り色インクC2（図９（ｂ）における斜線部）の画素値C2rgb（印刷濃度）が低下する。従って、後刷り色インクC1のＣＭＹ色空間の画素値C1rgbと先刷り色インクC2のバックトラッピング率b2とから補正係数H6を算出し、算出した補正係数H6を用いて先刷り色インクC2のＣＭＹ色空間の画素値C2rgbを高く補正する（印刷濃度を増加させる）ことにより、バックトラッピング現象を考慮した好適な印刷結果を得ることができる。
【００８１】
［実施例４］
図１０は、図３のステップＳ４５に示した補正処理の、実施例４における詳細な処理手順を例示するフローチャートである。この実施例４における補正処理は、図４〜図５に示した補正処理（実施例１）と、図６〜図７に示した補正処理（実施例２）とを組み合わせることで、トラッピング現象による影響を、より効果的に低減する補正処理である。
【００８２】
図１０に示すように、先刷り色インクがインクC1の場合（ステップＳ５１）、補正処理部１４２は、実施例１におけるステップＳ５２〜ステップＳ５４の処理と同様に、後刷り色インクC2に対応するＣＭＹ色空間の画素値C2rgbと閾値M2から補正係数H1を算出し、算出した補正係数H1を用いて、先刷り色インクC1のＣＭＹ色空間の画素値C1rgbを低く補正することで、トラッピング現象による後刷り色インクC2の印刷濃度低下を防止する。
【００８３】
更に、補正処理部１４２は、実施例２におけるステップＳ６２〜ステップＳ６５の処理と同様に、先刷り色インクC1のＣＭＹ色空間の画素値C1rgbと、後刷り色インクC2のトラッピング率a1とから補正係数H3を算出し、算出した補正係数H3を用いて、後刷り色インクC2のＣＭＹ色空間の画素値C2rgbを高く補正することで、トラッピング現象による後刷り色インクC2の印刷濃度低下を防止する。
【００８４】
このように、トラッピング現象による影響を取り除くために、先刷り色インクC1の印刷濃度を低く補正し、且つ後刷り色インクC2の印刷濃度を高く補正することで、トラッピング現象による後刷り色インクC2の印刷濃度低下を、より効果的に防止することができる。
【００８５】
同様に、先刷り色インクがインクC2の場合（ステップＳ５１）、補正処理部１４２は、実施例１におけるステップＳ５５〜ステップＳ５７の処理と同様に、後刷り色インクC1のＣＭＹ色空間の画素値C1rgbと閾値M1から補正係数H2を算出し、算出した補正係数H2を用いて、先刷り色インクC2のＣＭＹ色空間の画素値C2rgbを低く補正することで、トラッピング現象による後刷り色インクC1の印刷濃度低下を防止する。
【００８６】
更に、補正処理部１４２は、実施例２におけるステップＳ６６〜ステップＳ６９の処理と同様に、先刷り色インクC2のＣＭＹ色空間の画素値C2rgbと、後刷り色インクC1のトラッピング率a2とから補正係数H4を算出し、算出した補正係数H4を用いて、後刷り色インクC1のＣＭＹ色空間の画素値C1rgbを高く補正することで、トラッピング現象による後刷り色インクC1の印刷濃度低下を防止する。
【００８７】
即ち、先刷り色インクC2の印刷濃度を低く補正し、且つ後刷り色インクC1の印刷濃度を高く補正することで、トラッピング現象による後刷り色インクC1の印刷濃度低下をより効果的に防止することができる。
【００８８】
［実施例５］
実施例１〜実施例４では、色変換ＬＵＴ１３１を参照して変換されたＣＭＹ多値画像データの任意の画素i(C1rgb,C2rgb)を、印刷に用いる色インクとその重ね刷り順序に応じて補正する例を示した。
【００８９】
それに対して、実施例５では、色変換ＬＵＴ１３１に記憶されているＲＧＢ色空間の画素値と、ＣＭＹ色空間の画素値の対応関係のＣＭＹ色空間の各画素値を、実施例１〜実施例４で説明した補正処理により補正することで、トラッピング現象やバックトラッピング現象などによる影響を除去する例を説明する。
【００９０】
図１１は、本実施例において補正処理された色変換ＬＵＴ’１３１を用いて、図２のステップＳ０６に示した分版処理を行う場合の処理手順を例示するフローチャートである。
【００９１】
ステップＳ９１において、画像処理装置１４０は、色変換ＬＵＴ１３１を印刷に使用する色インクとその重ね刷り順序に応じて補正処理する。色変換ＬＵＴ１３１に対する補正処理については、後で説明する。
【００９２】
ステップＳ９２において、画像処理装置１４０は、原稿読み取り部１０１にて読み取られた多色原稿画像データをＲＧＢ色空間の多値画素値（ビットマップ画像）に展開する。
【００９３】
ステップＳ９３において、色空間座標変換部１４１は、色変換ＬＵＴ’１３１に基づいてＲＧＢ多値画像データの任意の画素i(r,g,b)をパラメータとして、選択する。
【００９４】
ステップＳ９４において、色空間座標変換部１４１は、選択された任意の画素i(r,g,b)に応じて、色変換ＬＵＴ’１３１を参照して、ＣＭＹ色空間の画素i(C1rgb,C2rgb)に変換する。
【００９５】
ステップＳ９５において、制御部１０４は、色空間座標変換部１４１で変換された色変換後のＣＭＹ多値画像の画素i(C1’rgb,C2rgb)を制御部１０４のＲＡＭに記憶する。
【００９６】
ステップＳ９６において、画像処理装置１４０は、ＲＧＢ多値画像データの全画素について色変換処理が完了したか否かを判別し、全画素について色変換処理が完了していれば、この分版処理を終了する。逆に、未完了の画素が残っていれば、処理をステップＳ９２に戻す。
【００９７】
図１２は、色変換ＬＵＴ１３１に対する補正処理の処理手順例を示している。
【００９８】
画像処理装置１４０は、ステップＳ８１において、印刷に用いる色インクと、重ね刷り順序情報（インクC1→インクC2またはインクC2→インクC1）を制御部１０４から取得する。
【００９９】
ステップＳ８２において、色変換ＬＵＴ１３１からＲＧＢ色空間の任意の画素値jを読み出し、ステップＳ８３において、読み出したＲＧＢ色空間の任意の画素値jに対応するＣＭＹ色空間の画素値jを、実施例１〜実施例４で説明した補正処理により補正し、ステップＳ８４において、ＲＧＢ色空間の任意の画素値jと補正処理されたＣＭＹ色空間の画素値j’ により色変換ＬＵＴ’１３１を作成する。
【０１００】
ステップＳ８５において、画像処理装置１４０は、色変換ＬＵＴ１３１のＲＧＢ色空間の全画素jについて処理が完了したか否かを判別し、全画素jについて処理が完了していれば、この補正処理を終了する。逆に、未完了の画素jが残っていれば、処理をステップＳ８２に戻す。
【０１０１】
以上の処理により、補正された色変換ＬＵＴ’１３１が作成される。
【０１０２】
このように、ＲＧＢ色空間の多値画素値に対応付けられて色変換ＬＵＴ１３１に記憶されているＣＭＹ色空間の多値画素値を、印刷に用いるインクC1、インクC2とその重ね刷り順序に応じて補正し、補正された色変換ＬＵＴ’１３１を参照して、ＲＧＢ色空間の多値画素値を印刷に用いるインクC1、インクC2に対応したＣＭＹ色空間の多値画素値に変換する。これにより、重ね刷り時に発生するトラッピング現象やバックトラッピング現象などによる影響を除去することができ、より良好な印刷結果を得ることができる。
【０１０３】
［実施例６］
実施例１〜実施例５では、孔版印刷装置１００に組み込まれた画像処理装置１４０において補正処理を実行する例を示したが、実施例６では、原稿作成装置２００に組み込まれるプリンタドライバ２４０において上記補正処理を実行する例を示す。
【０１０４】
図１３に示すように、原稿作成装置２００は、例えばパーソナルコンピュータ等により実現され、情報を入力するキーボードやマウス等の入力部２０１、処理した情報やデータを表示する表示装置等の出力部２０２、ネットワーク等を介して外部と接続するための外部インタフェース部２１０、いずれも図示しない中央処理装置（ＣＰＵ）、プログラムやデータを記憶するＲＯＭ、ワークエリアとしてのＲＡＭ等で構成される制御部２２０、データ部２３０、プリンタドライバ２４０、１つ以上のアプリケーションプログラム２５０等を記憶する大容量の（図示しない）ハードディスク等を備えている。また、データ部２３０は色変換ＬＵＴ２３１、変数エリア２３２、変数エリア２３３を有し、プリンタドライバ２４０は、色空間座標変換部２４１、補正処理部２４２を有する。
【０１０５】
尚、色変換ＬＵＴ２３１、変数エリア２３２、変数エリア２３３、色空間座標変換部２４１、補正処理部２４２は、実施例１で説明した色変換ＬＵＴ１３１、変数エリア１３２、変数エリア１３３、色空間座標変換部１４１、補正処理部１４２と同等であり、詳細は省略する。
【０１０６】
例えば、実施例１と同様の方法で実現する場合の処理手順を以下、簡単に説明する。
【０１０７】
ユーザによりアプリケーションプログラム２５０等で作成された多色原稿画像データを印刷するよう指示されると、プリンタドライバ２４０は外部インタフェース部２１０を介して孔版印刷装置１００から印刷に用いるインクと、その重ね刷り順序情報を取得する。
【０１０８】
次に、色空間座標変換部２４１は、アプリケーションプログラム２５０等で作成された多色原稿画像データのＲＧＢ色空間の多値画素値の任意の画素iを選択し、色変換ＬＵＴ２３１を参照してＲＧＢ色空間からＣＭＹ色空間への色変換を実行し、変換されたＣＭＹ色空間の画素値（画像データ）を補正処理部２４２に渡す。
【０１０９】
そして、補正処理部２４２は、受け取ったＣＭＹ色空間の画素iを、孔版印刷装置１００から取得した印刷に用いるインクと、その重ね刷り順序情報に基づいて補正処理し、製版画像データを生成する（詳細は図４参照）。
【０１１０】
多色原稿画像データのＲＧＢ色空間の多値画素値について変換処理が終了するまで、この処理を繰り返す。
【０１１１】
そして、変換処理が終了したら、製版画像データを外部インタフェース部２１０を介して孔版印刷装置１００に送信する。尚、製版画像データはプリンタドライバ２４０で孔版印刷装置１００が理解できる形式に変換される変換されることは言うまでもない。
【０１１２】
そして、プリンタドライバ２４０の色空間座標変換部２４１、補正処理部２４２が、実施例２から実施例５で説明した処理動作を実行することで、トラッピング現象やバックトラッピング現象による影響を排除でき、良好な印刷結果を得ることができる。
【０１１３】
［実験例］
トラッピング現象やバックトラッピング現象は、印刷に使用する色インクの種類やそのメーカ、及び印刷機等によっても発生する度合いが相違する。従って、予め実験的に最小補正係数、閾値、トラッピング率、バックトラッピング率等を決定する例を簡単に説明する。
【０１１４】
図１４（ａ）は、先刷り色インクを横軸方向に印刷濃度１（ベタ）から印刷濃度０（全く印刷しない）までの間を５段階（0.25刻み）に印刷したイメージ例を示す。縦軸方向の区切りは単なる目印である。
【０１１５】
図１４（ｂ）は、後刷り色インクを縦軸方向に印刷濃度１（ベタ）から印刷濃度０（全く印刷しない）までの間を５段階（0.25刻み）に印刷したイメージ例を示す。縦軸方向の区切りは単なる目印である。
【０１１６】
図１４（ｃ）は、先刷り色インクと後刷り色インクを重ね刷りしたイメージ例を示す。このようにすることで、先刷り色インクの印刷濃度１と後刷り色インクの印刷濃度１が重ね刷りされたエリアNo.1から、先刷り色インクの印刷濃度０と後刷り色インクの印刷濃度０が重ね刷りされたエリアNo.25まで、２５通りの重ね刷りエリアを作成することができる。必要に応じて印刷濃度の段階を細かく区切ることで、重ね刷りエリアの数を増加できる。
【０１１７】
このように図１４（ｃ）に示す重ね刷りされたエリアを、色差計等により測定することで、最小補正係数、閾値、トラッピング率、バックトラッピング率等を求めることができる。尚、トラッピング現象、バックトラッピング現象は、同時に発生していると思われるが、両者をそれぞれ分離できないので、強く現れた現象を一義的に選択することになる。
【０１１８】
図１５（ａ）は、図１４（ｃ）を孔版印刷装置（理想科学工業株式会社製 RISO V8000）、先刷り色インク（赤色インク：RISO INK V TYPE S-3487）、後刷り色インク（黒色インク：RISO INK V TYPE S-4170）を用いて印刷し、色差計（日本電色工業株式会社製 NR-3000）で計測したＬ*ａ*ｂ*値のａ*（先刷り色インク）を例示する図である。
【０１１９】
尚、「パターン１」は、トラッピング現象、バックトラッピング現象を無視できる条件、即ち先刷り色インクを印刷し完全に乾燥した後、後刷り色インクを重ね刷りした例である。
【０１２０】
「パターン２」は、先刷り色インクを印刷した後、後刷り色インクを重ね刷りした例である。（この場合は、トラッピング現象がバックトラッピング現象より強く発生しているので、トラッピング現象が発生していると見なす。）
「パターン３」は、トラッピング現象が発生するものと見なして、色変換ＬＵＴに基づいて先刷り色インクを補正した印刷濃度で印刷した例である。
【０１２１】
図１５（ｂ）は「パターン１」の測定値ａ*を「１」としたときの「パターン２」「パターン３」の測定値ａ*の割合を示す図である。図１６は、図１５（ｂ）をグラフで表した図である。
【０１２２】
図１５、図１６に示すように、「パターン３」（トラッピング現象に対する補正処理を実施）は、「パターン２」（トラッピング現象に対する補正処理を未実施）に比べ「パターン１」（トラッピング現象が発生しない理想的な印刷結果）に近づいていることがわかる。また、先刷り色インクの印刷濃度が濃く印刷されているエリアNo.1,6,11,21のうち、後刷り色インクの印刷濃度がある程度濃く印刷されているエリアNo.11,16,21では、トラッピング現象の影響はほとんどないことがわかる。
【０１２３】
以上の説明から明らかなように、本実施形態による画像処理装置１４０、画像処理方法、及びプリンタドライバ２４０によれば、色変換ＬＵＴ１３１を参照して変換されたＣＭＹ色空間の多値画素値もしくは色変換ＬＵＴ１３１に記憶されているＣＭＹ色空間の多値画素値を、印刷に用いる色インクとその重ね刷り順序に応じて補正するため、トラッピング現象やバックトラッピング現象を考慮した色変換ＬＵＴ１３１を用意しておかなくても、好適な重ね刷り結果を得ることができる。
【０１２４】
また、後刷り色インクに対応するＣＭＹ色空間の多値画素値と閾値から補正係数H1,H2を算出し、算出した補正係数H1,H2を用いて、先刷り色インクに対応するＣＭＹ色空間の多値画素値を補正することで、トラッピング現象による後刷り色インクの印刷濃度低下を防止することができる。
【０１２５】
あるいは、先刷り色インクに対応するＣＭＹ色空間の多値画素値と後刷り色インクのトラッピング率a1,a2とから補正係数H3,H4を算出し、算出した補正係数H3,H4を用いて、後刷り色インクに対応するＣＭＹ色空間の多値画素値を補正することで、トラッピング現象による後刷り色インクの印刷濃度低下を防止することができる。
【０１２６】
さらに、後刷り色インクに対応するＣＭＹ色空間の多値画素値と後刷り色インクのバックトラッピング率b1,b2とから補正係数H5,H6を算出し、算出した補正係数H5,H6を用いて、先刷り色インクに対応するＣＭＹ色空間の多値画素値を補正することで、バックトラッピング現象による先刷り色インクの印刷濃度低下を防止することができる。
【０１２７】
従って、印刷に用いる色インクや重ね刷り順序を考慮した色変換ＬＵＴを予め用意しておかなくても、好適な印刷結果を得ることができる。
【０１２８】
以上、本発明の実施形態について詳細に説明したが、本発明は、その精神または主要な特徴から逸脱することなく、他の色々な形で実施することができる。
【０１２９】
例えば、本実施形態においては、２つの版胴を装着して二色印刷可能な孔版印刷装置１００を例に説明したが、３つ以上の版胴を備えた多色印刷装置にも適用することができるし、孔版印刷装置に限らず、例えばオフセット印刷装置やインクジェット印刷装置など、他の印刷装置に適用することもできる。
【０１３０】
また、画像処理装置１４０は、孔版印刷装置１００以外にも、例えば、プリンタサーバやラスターイメージプロセッサなどに組み込んでも良いし、独立した装置として構成しても良い。
【０１３１】
このように、前述の実施例はあらゆる点で単なる例示に過ぎず、限定的に解釈してはならない。本発明の範囲は、特許請求の範囲によって示すものであって、明細書本文には何ら拘束されない。さらに、特許請求の範囲の均等範囲に属する変形や変更は、全て本発明の範囲内のものである。
【図面の簡単な説明】
【０１３２】
【図１】本実施形態による印刷システムの構成を例示する概略ブロック図である。
【図２】図１に示す印刷システムのうち孔版印刷装置の処理動作の一例を示すフローチャートである。
【図３】図２のステップＳ０６に示した分版処理の詳細な処理手順を例示するフローチャートである。
【図４】図３のステップＳ４７に示した補正処理の詳細な処理手順（実施例１）を例示するフローチャートである。
【図５】図４のステップＳ５３，Ｓ５６で算出する補正係数の一例を示す図である。
【図６】図３のステップＳ４７に示した補正処理の詳細な処理手順（実施例２）を例示するフローチャートである。
【図７】トラッピング現象を説明するための図である。
【図８】図３のステップＳ４７に示した補正処理の詳細な処理手順（実施例３）を例示するフローチャートである。
【図９】バックトラッピング現象を説明するための図である。
【図１０】図３のステップＳ４７に示した補正処理の詳細な処理手順（実施例４）を例示するフローチャートである。
【図１１】実施例５における色変換ＬＵＴに対する補正処理の処理手順例を示すフローチャートである。
【図１２】図１１に示した補正処理が施された色変換ＬＵＴを用いて、図２のステップＳ０６に示した分版処理を行う場合の処理手順を例示するフローチャートである。
【図１３】実施例６における印刷システムの構成例を示す概略ブロック図である。
【図１４】実験例における印刷物のイメージを示す図であり、（ａ）は先刷り色インクのみで印刷した場合の印刷結果のイメージ、（ｂ）は後刷り色インクのみで印刷した場合の印刷結果のイメージ、（ｃ）は先刷り色インクで印刷した後、後刷り色インクを重ね刷りした場合の印刷結果のイメージを示している。
【図１５】（ａ）は実験例における印刷物の各エリアを測定したＬ*ａ*ｂ*値のうち、ａ*（赤み）の測定値を示す図であり、（ｂ）は（ａ）に示したパターン１の測定値を１としたときのパターン２，３の割合を示す図である。
【図１６】図１５（ｂ）に示した割合をグラフで示す図である。
【符号の説明】
【０１３３】
１００…孔版印刷装置
１０１…原稿読み取り部
１０２…製版部
１０３…印刷部
１０４…制御部
１０５…外部インタフェース部
１０６…操作パネル
１３０…データ部
１３１…色変換ＬＵＴ
１３２…変数エリア
１３３…変数エリア
１４０…画像処理装置
１４１…色空間座標変換部
１４２…補正処理部
２００…原稿作成装置
２０１…入力部
２０２…出力部
２１０…外部インタフェース部
２２０…制御部
２３０…データ部
２３１…色変換ＬＵＴ
２４０…プリンタドライバ
２４１…色空間座標変換部
２４２…補正処理部
２５０…アプリケーションプログラム
【図１】
2005269332.tif 000003
【図２】
2005269332.tif 000004
【図３】
2005269332.tif 000005
【図４】
2005269332.tif 000006
【図５】
2005269332.tif 000007
【図６】
2005269332.tif 000008
【図７】
2005269332.tif 000009
【図８】
2005269332.tif 000010
【図９】
2005269332.tif 000011
【図１０】
2005269332.tif 000012
【図１１】
2005269332.tif 000013
【図１２】
2005269332.tif 000014
【図１３】
2005269332.tif 000015
【図１４】
2005269332.tif 000016
【図１５】
2005269332.tif 000017
【図１６】
2005269332.tif 000018